(57)【要約】      （修正有）【課題】イスとしての機能を持たせるハンモックを提供する。【解決手段】ハンモックの両サイドにロープ５を配置させ、これでハンモックの中央を持ち上げることによりイスとしての機能を持たせることができる。滑車を介してロープ５を一本に連結し、このロープ５の長さを調整することによりハンモックを上げ下げし乗降を行う。ロープ５の長さを調整する装置として滑車式巻き上げ機１２を用いることにより低コストのシステムができる。【選択図】図５
0003207881.tif 000002
【実用新案登録請求の範囲】
【請求項１】
高さを変えて配置された２点のハンモック支点が存在し、この２点のハンモック支点に吊り下げられたハンモックが存在する。この２点のハンモック支点を結んだ直線を通る垂直面を中央面とする。中央面に対して対称な位置に２本のサイドロープを、２点のハンモック支点間において交差しないように、配置するために、各サイドロープに２点、計４点のサイドロープ支点を設け、このサイドロープ支点にサイドロープを連結し２本のサイドロープを配置する。ハンモック本体に中央面に対して対称な位置に２点の持ち上げ支点を設け、２本のサイドロープをそれぞれ連結させ、サイドロープの引っ張り力によって、２点の持ち上げ支点を持ち上げる。その２点の持ち上げ支点位置より高い方のハンモック支点側のハンモックを、人が乗った時のイスの背もたれとして用いる。以上の特徴を有するイスとしての機能を持たせたハンモック。
【考案の詳細な説明】
【技術分野】
【０００１】
本発明は、イスとしての機能を持たせるため新たな方式を取り入れたハンモックに関する。        
【背景技術】
【０００２】
図３により、従来のハンモックについて説明する。ハンモックは人を乗せるハンモック本体 (１)と、これを空中で浮かせるために、固定された2点のハンモック支点(３)に取り付けるためのハンモック本体(１)の両端に連結された一対の吊り下げロープ(２)に分けられる。ハンモック本体(１)は布製のものや紐を編んだ網状の形態のものがある。本図面では以降布製のハンモックを示すが網状のハンモックと全体の構造、機構に大きな違いはない。ロープを取り付ける２点のハンモック支点(３)は、なるべく水平に位置し、高さは人が乗りやすい位置となる。ハンモックを２点のハンモック支点(３)に取り付けると、当然ハンモックの中央部が最も下がった状態となる。ハンモック支点(３)間の距離により、ハンモックの広げた長さとの関係で中央の垂れ下り角度(４)が決まる。
【先行技術文献】
【特許文献】
【０００３】
【特許文献１】特願２０１０−１７３２３５
【考案の概要】
【考案が解決しようとする課題】
【０００４】
従来のハンモックは、図３に示したごとく中央部が最も下がった形状から逸脱することはできない。形状を変えるとすれば、ハンモック支点(３)間の距離またはハンモックの広げた長さを調整することにより、中央の垂れ下り角度(４)を変えることがある。人が睡眠または休憩するために横になる場合は、中央の垂れ下り角度(４)を１８０度に近づけることにより目的を達成することができる。ところが、読書、ＴＶ鑑賞、パソコン作業などを行うためのイスとして使用するためには、背もたれの部分を垂直近くまで上げる必要があるが、従来のハンモックでは中央部に人の臀部を乗せて中央の垂れ下り角度(４)を小さくして背もたれを垂直近くまで上げたとしても、当然足側も同様の角度まで上がってしまうので、全くイスとしての体をなさない。
【０００５】
本発明は、従来のハンモックに簡単な機構を付加することにより、ハンモックをイスとして機能させそのイスとしての便宜性を向上させることを目的とする。
【課題を解決するための手段】
【０００６】
図１により、本発明のハンモックについて説明する。従来のハンモックの両端のハンモック支点(３)は水平に配置されているが、本発明のハンモックでは、上ハンモック支点(３ａ)、下ハンモック支点(３ｂ)と高さを変えて配置され、吊り下げロープ(２)が取り付けられている。人がハンモックに乗った時、頭側が上ハンモック支点(３ａ)、足側が下ハンモック支点(３ｂ)となる。ハンモック本体(１)の中央付近には、横方向に貫通してバンド付きロープ通し(７)が取り付けられており、バンドの両端がロープ通しとなった構造をしている。バンド付きロープ通し(７)より下ハンモック支点(３ｂ)側のハンモック本体(１)の両サイドには、ロープ通し(８)が複数個取り付けられている。サイドロープ(５)がハンモック本体(１)の両サイドに１本づつロープ通し(７)および (８)に通され配置される。２本のサイドロープ(５)は、ハンモック本体(１)の縦方向垂直中心面に対称に配置される。サイドロープ(５)の上ハンモック支点(３ａ)側はサイドロープ上支点(６ａ)に取り付けられ、その高さは、上ハンモック支点(３ａ)と同等以上とする。サイドロープ(５)の下ハンモック支点(３ｂ)側はサイドロープ下支点(６ｂ) に取り付けられ、その高さは、下ハンモック支点(３ｂ)と同等とする。サイドロープ(５)は、従来のハンモックにおける中央の垂れ下りを持ち上げる役割である。人がハンモックに乗った時重心がバンド付きロープ通し(７)より上ハンモック支点(３ａ)側にあるため、バンド付きロープ通し(７)のロープ通し部分に大きな重力が加わり、ここがサイドロープ(５)の持ち上げ支点(９)となる。サイドロープ(５)の長さを短くすることによって持ち上げ支点(９)を持ち上げると、擬似的に持ち上げ支点(９)から上ハンモック支点(３ａ)までのハンモックが形成された形となる。上述したように、ハンモックの垂れ下り角度はハンモック支点間の距離とハンモックの広げた長さとの関係で決まる。持ち上げ支点(９)の位置は自由に変更できることにより擬似的なハンモックの支点間距離をいくらでも小さくすることができるので、背もたれとなる上ハンモック支点(３ａ)側のハンモック垂れ下り角度を垂直近くまで調整することができる。
【０００７】
本発明のハンモックの展開図を図２に示す。
【０００８】
図４により、本発明のロープ調整機構について説明する。２箇所のサイドロープ下支点(６ｂ)および、一方のサイドロープ上支点(６ａ)の計３箇所に滑車(１０)が取り付けられる。サイドロープ(５)は、この３個の滑車(１０)を介して、一本に繋げられる。サイドロープ(５)の一方の端は、ロープ取り込み装置(１１)に繋がっている。ハンモック乗降時は、ロープ取り込み装置(１１)によりサイドロープ(５)が緩められ、人のハンモック乗降を簡易にする。ハンモック使用時は、ハンモックが適当な高さになるようロープ取り込み装置(１１)によりサイドロープ(５)の長さが調整される。
【０００９】
図５により、滑車式巻き上げ機(１２)を用いたロープ調整機構について説明する。サイドロープ(５)の一方の端を滑車式巻き上げ機(１２)に結び付ける。滑車式巻き上げ機(１２)の他方の端は固定される。引き綱(１３)を引くことにより滑車式巻き上げ機(１２)が短くなるため、サイドロープ(５)が引き上げられハンモックが上がる。適当な高さで引き綱(１３)をサイドロープ(５)などに結び付けることによりハンモックの加重による下降にストッパを掛け、この高さを維持させる。ハンモック乗降時は、引き綱(１３)の結び目(１４)を解きストッパを外してサイドロープ(５)を緩め、ハンモックを下降させる。
【考案の効果】
【００１０】
上述したように、従来のハンモックの両サイドにサイドロープ(５)を配置しハンモックの中央部を持ち上げることで、ハンモックをイスとして機能させる。滑車を介したサイドロープ(５)のロープ調整機構を設けることで、ハンモック乗降時の利便性を向上させる。ロープ調整機構で滑車式巻き上げ機(１２)を用いることにより、低コストのシステムが実現できる。
【図面の簡単な説明】
【００１１】
【図１】本発明のハンモックの斜視
【図２】本発明のハンモックの展開図
【図３】従来のハンモックの斜視図
【図４】本発明ハンモックのロープ調整機構の斜視図
【図５】滑車式巻き上げ機を用いた本発明ハンモックのロープ調整機構の斜視図
【図６】本発明のハンモックスタンドに設置された本発明のハンモックの斜視図
【図７】図６のハンモックに人が乗ったときの斜視図
【考案を実施するための形態】
【００１２】
以下、本発明の実施の形態を図６，７に基づいて説明する。
【００１３】
図６はベッド（１５）に設置された本発明のハンモックスタンド（１６）に図５に示した本発明のハンモックをセットした図である。ハンモックスタンド（１６）の４個の上段角部フック（１７ａ） ，（１７ｂ）， （１７ｃ）， （１７ｄ）には、上段チェーン（１８）が掛っている。図１における上ハンモック支点（３ａ）は上段チェーン（１８）の縦方向中央に走るチェーンの適当な位置となり、フックを介して吊り下げロープ（２）が取り付けられている。ハンモックスタンド（１６）の２個の下段角部フック（１９）には、下段チェーン（２０）が掛っている。図１における下ハンモック支点（３ｂ）は上段チェーン（２０）の中心位置となり、フックを介して吊り下げロープ（２）が取り付けられている。下段チェーン（２０）には、中央の吊り下げロープ（２）の吊り下げ位置に対して対称の適当な距離に滑車（１０）計２個が取り付けられている。ハンモックスタンド（１６）の上段角部フック（１７ｂ）に滑車（１０）１個が取り付けられている。サイドロープ（５）の一方の端が上段角部フック（１７ａ）に結び付けられ、下段チェーン（２０）に取り付けられた２個の滑車（１０）と上段角部フック（１７ｂ）の滑車（１０）に通された後、サイドロープ（５）の他方の端が滑車式巻き上げ機（１２）に結び付けられる。滑車式巻き上げ機（１２）の反対側は、ハンモックスタンド（１６）のフレームジョイント部に付けられたボトムフック（２１）で留められる。
【００１４】
図７は、図６の本発明のハンモックに人が乗った時の図である。人は、サイドロープ(５)の緩んだ状態のハンモックに乗る。その時ハンモック本体部(１)の一部はベッド(１５)に付いた状態であり、人の加重がベッド(１５)に加わった状態である。その後引き綱(１３)を引っ張って滑車式巻き上げ機(１２)を縮めることによりサイドロープ(５)を引っ張って、ハンモックを適当な高さまで上げ浮かせた後、引き綱(１３)をサイドロープ(５)に結んでその高さを維持する。ハンモックから降りる時は、引き綱(１３)の結び目(１４)をサイドロープ(５)から解いてサイドロープ(５)を緩め、ハンモック本体部(１)の一部がベッド(１５)に付いた場所を足場にして降りる。
【符号の説明】
【００１５】
１  ハンモック本体
３，３ａ，３ｂ  ハンモック支点
５  サイドロープ
６ａ，６ｂ  サイドロープ支点
９  持ち上げ支点
１０  滑車
１１  ロープ取り込み装置
１２  滑車式巻き上げ機
【図１】
0003207881.tif 000003
【図２】
0003207881.tif 000004
【図３】
0003207881.tif 000005
【図４】
0003207881.tif 000006
【図５】
0003207881.tif 000007
【図６】
0003207881.tif 000008
【図７】
0003207881.tif 000009